(57)【要約】【課題】  他の人の視線が余り気にならず、包み込まれるような安心感のある空間を備えた住宅の屋内構造を提供する。【解決手段】  住宅の屋内構造１は、下階の基準床５よりも低い平面視矩形のピット床６と、平面視した場合にピット床６に接して配置され基準床５よりも高いステージ床７と、ステージ床７と上階の床２２とを接続する階段２１と、を備え、階段２１は、ステージ床７からピット床６の上方に向かう上り勾配に形成され、ピット床６の周縁の３方向がステージ床７に囲まれることを特徴としている。【選択図】図１
2020045663.tif 000002
【特許請求の範囲】
【請求項１】
下階の基準床よりも低い平面視矩形のピット床と、
平面視した場合に前記ピット床に接して配置され前記基準床よりも高いステージ床と、
前記ステージ床と上階の床とを接続する階段と、
を備え、
前記階段は、前記ステージ床から前記ピット床の上方に向かう上り勾配に形成され、
前記ピット床の周縁の３方向が前記ステージ床に囲まれることを特徴とする住宅の屋内構造。
【請求項２】
前記ステージ床の一部が前記ピット床の一部と上下に重なるように形成されることを特徴とする請求項１に記載の住宅の屋内構造。
【請求項３】
前記基準床から前記ピット床上の空間に進入する入り口階段を更に備え、
前記入り口階段は、前記ピット床の周縁の前記ステージ床に囲まれていない位置に形成されており、
前記入り口階段の上方には空間を仕切る間仕切部が形成されており、当該間仕切り部の下端は前記基準床からの高さが１ｍから１．５ｍであることを特徴とする請求項１又は請求項２に記載の住宅の屋内構造。
【請求項４】
前記ステージ床はリビングに隣接して配置されており、前記入り口階段は前記リビングと異なる方向に形成されることを特徴とする請求項３に記載の住宅の屋内構造。
【請求項５】
前記ステージ床とリビングを挟んで対向する位置に、屋外に開く開口部が形成されており、前記ステージ床の外周縁に当該ステージ床よりも高いカウンタが設けられることを特徴とする請求項１から請求項４のいずれかに記載の住宅の屋内構造。
【発明の詳細な説明】
【技術分野】
【０００１】
本発明は、居心地のよい空間を形成した住宅の屋内構造に関する。
【背景技術】
【０００２】
従来より住宅の主にリビングの床面の一部を通常よりも下げて形成したピットリビングが知られている。ピットリビングは、リビング空間にメリハリを付けることができ、また、床を下げたことで天井までの高さが高くすることができる。そして、間仕切壁などを設けることなく、空間を緩やかに仕切ることとなるので、リビング全体の開放感を損なわずに、ピット内を落ち着いた空間とすることができる。
【０００３】
このようなピットリビングを設けた住宅としては、例えば特許文献１が挙げられる。特許文献１の住宅は、通常高さの通路スペースを挟んで、通路スペースよりも低いピットリビングと、通路スペースよりも高いステージリビングとを有しており、２つの段差によって適度に空間を仕切って、落ち着き感のあるピットリビングと開放感のあるステージリビングとを両立させている。
【先行技術文献】
【特許文献】
【０００４】
【特許文献１】特開２００９−４６９２５号公報
【発明の概要】
【発明が解決しようとする課題】
【０００５】
ところで、ピットリビングは通常高さの床と行き来可能に形成される必要があるので、階段１段分程度の段差であり、ピット内は、リビングやダイニングの通常の床高さの場所から視線が遮られるものではないので、他の家族や来客の視線が気になって落ち着かない場合があり、また、上方に向かっては開放されているので、所謂篭もり感を感じることはできない。
【０００６】
そこで、本発明は、他の人の視線が余り気にならず、包み込まれるような安心感のある空間を備えた住宅の屋内構造を提供することを目的とする。
【課題を解決するための手段】
【０００７】
本発明の住宅の屋内構造は、下階の基準床よりも低い平面視矩形のピット床と、平面視した場合に前記ピット床に接して配置され前記基準床よりも高いステージ床と、前記ステージ床と上階の床とを接続する階段と、を備え、前記階段は、前記ステージ床から前記ピット床の上方に向かう上り勾配に形成され、前記ピット床の周縁の３方向が前記ステージ床に囲まれることを特徴としている。
【０００８】
本発明の住宅の屋内構造は、前記ステージ床の一部が前記ピット床の一部と上下に重なるように形成されることを特徴としている。
【０００９】
本発明の住宅の屋内構造は、前記基準床から前記ピット床上の空間に進入するピット側階段が前記ピット床の周縁の前記ステージ床に囲まれていない位置に形成されており、前記入り口階段の上方には空間を仕切る間仕切部が形成されており、当該間仕切り部の下端は前記基準床からの高さが１ｍから１．５ｍであることを特徴としている。
【００１０】
本発明の住宅の屋内構造は、前記ステージ床はリビングに隣接して配置されており、前記入り口階段は前記リビングと異なる方向に形成されることを特徴としている。
【００１１】
本発明の住宅の屋内構造は、前記ステージ床とリビングを挟んで対向する位置に、屋外に開く開口部が形成されており、前記ステージ床の外周縁に当該ステージ床よりも高いカウンタが設けられることを特徴としている。
【発明の効果】
【００１２】
本発明の住宅の屋内構造によると、基準床よりも低いピット床の周縁の３方向が基準床よりも高いステージ床に囲まれているので、ピット床とステージ床との高低差によって、居住者がピット床の上で周り包まれるような安心感を感じながらくつろぐことができる。また、ピット床の周縁がステージ床に囲まれることで、ピット床の上でくつろいでいる居住者が、ステージ床の外側の基準床にいる他の居住者から見えにくいので、他の居住者の視線を気にすることなく、ピット床上でくつろぐことができる。そして、ステージ床からピット床の上方に向かうように上階の床と接続される階段が設けられているので、ピット床によって階段下のスペースを有効利用することができる。また、ピット床の上に階段が設けられていることで、上方が必要以上に開放されず、ピット床の上を程よい開放感の空間とすることができる。そして、ステージ床と上階の床とを階段で繋ぐことで、ステージ床が階段の踊り場となるので、ステージ床を階段の一部として有効利用することができる。
【００１３】
本発明の住宅の屋内構造によると、ステージ床の一部が前記ピット床の一部と上下に重なるように形成されるので、ステージ床の面積を広げてステージ床の上の開放的な空間を様々な用途に活用しやすい空間とすることができるとともに、ピット床の一部の上方をステージ床が覆うことで、ピット床をより篭もり感の強い空間とすることができる。
【００１４】
本発明の住宅の屋内構造によると、基準床からピット床上の空間に進入する入り口階段がピット床の周縁のステージ床に囲まれていない位置に形成されており、当該入り口階段の上方には空間を仕切る間仕切部がその下端の高さが基準床から１ｍから１．５ｍとなるように形成されているので、ピット床の入り口がにじり口のような入りづらい入り口となっていることで、ピット床上の空間をより篭もり感の強い空間とすることができる。そして、基準床に立っている居住者からはピット床上の空間がほとんど見えなくなるので、ピット床の上で寛いでいる居住者が他の居住者の視線を気にすることなく寛ぐことができる。
【００１５】
本発明の住宅の屋内構造によると、ステージ床がリビングに隣接して配置されており、入り口階段はリビングと異なる方向に形成されるので、リビングからはピット床を視認することができず、居住者がリビングにいる他の居住者の視線を気にすることなく、ピット床上で寛ぐことができる。
【００１６】
本発明の住宅の屋内構造によると、ステージ床とリビングを挟んで対向する位置に、屋外に開く開口部が形成されており、ステージ床の外周縁に当該ステージ床よりも高いカウンタが設けられるので、ステージ床のリビング側に腰掛けてカウンタをテーブルとして利用することができ、ステージ床に腰掛けた居住者の正面に開口部が設けられて開放感のあるカウンタテーブルとすることができる。
【図面の簡単な説明】
【００１７】
【図１】住宅の屋内構造の１階を示す断面図。
【図２】図１の階段を省略し、ステージ床及びピット床部分を拡大した図。
【図３】住宅の屋内構造の構成を説明する斜視図。
【図４】住宅の屋内構造の構成を示す図２のＡ−Ａ線断面図。
【図５】住宅の屋内構造の構成を示す図２のＢ−Ｂ線断面図。
【図６】住宅の屋内構造のピット床及びステージ床の重なりを説明する断面図。
【発明を実施するための形態】
【００１８】
以下、本発明に係る住宅の屋内構造１の実施形態について各図を参照しつつ説明する。住宅の屋内構造１は、２階建て以上の住宅の屋内構造１であり、図１に示すように、例えばリビング２、ダイニング３、キッチン４が間仕切壁のない大きな空間となっている住宅の屋内構造１である。なお、住宅の屋内構造１は、リビング２、ダイニング３、キッチン４が一体の大きな空間となっているものに限定されるものではなく、それぞれが間仕切られた空間となっていてもよい。
【００１９】
住宅の屋内構造１の下階には、図２に示すように、下階の基準床５と、基準床５よりも低いピット床６と、基準床５よりも高いステージ床７とが配置されている。下階は本実施形態においては１階であるが、例えば３階建て以上の住宅においては、下階が２階以上であってもよい。基準床５は、図１から図３に示すように、例えば玄関８の上がり框９を上がった高さの床であり、住宅の構造上又は性能上必要な高さ位置が決定される。住宅の下階に配置されているリビング２、ダイニング３、キッチン４、その他の居室の床は基準床５となっている。
【００２０】
ピット床６は、図５及び図６に示すように、基準床５よりも５０ｃｍ低く形成されており、基準床５から３段の入り口階段１０を経てピット床６に降りることができる。ピット床６は平面視矩形に形成されており、ピット床６の周縁の３辺側に隣接してステージ床７が形成されている。ステージ床７は、図１、図４、及び図５に示すように、平面視凹形状で、内側がステージ床７に隣接してピット床６の上方に迫り出しており、外側の２辺がリビング２に隣接し、外側の他の１辺が間仕切壁１１に隣接している。ステージ床７の外側のリビング２側の２つの角部には独立柱１２が設けられている。ステージ床７は基準床５よりも５０ｃｍ高く形成されている。ステージ床７の内側の一部がピット床６の上方の一部を覆うように迫り出して形成されており、ステージ床７の一部がピット床６の一部に上下に重なって、ステージ床７がピット床６の天井となっている。なお、ステージ床７の内側の縁には手摺が設けられてステージ床７からピット床６に転落することを防止している。
【００２１】
このように、ピット床６は基準床５よりも５０ｃｍ低く、ステージ床７が基準床５よりも５０ｃｍ高いことで、ピット床６とステージ床７との段差は１ｍとなるので、居住者がピット床６の上に座った状態では、居住者は周りのリビング２やダイニング３などを視認することができず、居住者がピット床６の上で周り包まれるような安心感を感じながらくつろぐことができる。そして、ピット床６の周縁がステージ床７に囲まれることで、ピット床６の上でくつろいでいる居住者が、ステージ床７の外側のリビング２やダイニング３などの基準床５にいる他の居住者から見えにくいので、他の居住者の視線を気にすることなく、ピット床６上でくつろぐことができる。
【００２２】
また、ステージ床７の一部がピット床６の一部と上下に重なるように形成されることで、ステージ床７の面積を広げてステージ床７の上の開放的な空間を様々な用途に活用しやすい空間とすることができるとともに、ピット床６の一部の上方をステージ床７が覆うことで、ピット床６をより篭もり感のある落ち着ける空間とすることができる。
【００２３】
なお、ピット床６の床面にはカーペットが敷設されており、ピット床６の周縁のピット床６側を向く側壁部及びステージ床７の下面のピット床６の天井面となる面にはラスティックの風合いのクロスが貼付されている。また、ピット床６の周縁の側壁部の一面に沿って例えば飾り棚が設けられている。飾り棚は、例えばワインセラーのように、洋酒の瓶をディスプレーしながら保存するものであっても良い。
【００２４】
ピット床６の入り口階段１０は、図１及び図２に示すように、基準床５に形成されたキッチン４に対向するように配置されている。入り口階段１０の両側には腰壁１３がピット床６のキッチン４側の側縁に沿って形成されており、腰壁１３及び入り口階段１０の上方には、図３及び図５に示すように、間仕切部１４が形成されている。間仕切部１４は例えば背面板が設けられていない造作棚である。間仕切部１４は、図５及び図６に示すように、複数段の水平な棚板１５と、鉛直な仕切板１６とで形成されており、棚板１５と仕切板１６とで囲まれた空間の内の一部は木製箱体１７で閉じられている。棚板１５上には、図示しないが、例えば観葉植物や書籍などを配置することができる。間仕切部１４は、図３に示すように、キッチン４で調理を行っている居住者の正面に配置されることになるが、背面板が設けられていないので、棚板１５及び仕切板１６の間からステージ床７の上部の空間を視認することができ、通風性や採光性を確保することができる。
【００２５】
間仕切部１４の上端は下階の天井まで延びており、入り口階段１０の上側における間仕切部１４の下端は基準床５から例えば１．２ｍ高い位置に配置となっている。したがって、入り口階段１０を通ってピット床６上の空間に進入する一般的な身長の居住者は、入り口階段１０でかがんでピット床６上の空間に進入する。なお、入り口階段１０の上側における間仕切部１４の下端の高さは、基準床５から１．２ｍに限定されるものではなく、基準床５から１ｍから１．５ｍの範囲が好ましい。居住者が入り口階段１０を通過することができる高さであるとともに、入りづらい高さであることで、ピット床６上の空間を秘密基地のような篭もり感のある空間とすることができる。
【００２６】
ステージ床７には、リビング２側及びキッチン４側の２箇所にそれぞれステージ床７に上がるための３段の小階段１８が設けられており、リビング２及びキッチン４のいずれの側からもステージ床７に上がれるように構成されている。ステージ床７のリビング２側の１方向にはリビング２を挟んで対向する位置に、屋外に開く開口部１９が形成されている。開口部１９は例えば掃き出し窓の大開口である。開口部１９側のステージ床７の外周縁には、当該外周縁に沿って平板状のカウンタ２０が設けられている。カウンタ２０はステージ床７の床面よりも４０〜５０ｃｍ程度高い位置に設けられており、カウンタ２０とステージ床７の間に足を入れてステージ床７の外周縁に腰掛けてカウンタ２０を使用することができる。このときステージ床７の外周縁に腰掛けた居住者の正面に開口部１９が形成されて外側が視認可能となり、開放感を感じることができる。なお、図５及び図６に示すように、カウンタ２０のステージ床７と反対側には、カウンタチェアが設けられており、ステージ床７を正面にしてカウンタチェアに腰掛けた居住者が、ステージ床７の外周縁に腰掛けた居住者と対面するように座ることができる。
【００２７】
また、住宅の屋内構造１は、ステージ床７と上階の床２２とを接続する階段２１を備えている。階段２１は、ステージ床７からピット床６の上方に向かう上り勾配に形成されている。上階は、上階の床２２がステージ床７及びピット床６と平面視して重なる位置が吹き抜けとなっており、ステージ床７の上にいる居住者がより開放感を感じることができる。またステージ床７からピット床６の上方を通って上階の床２２に階段２１が架け渡されることで、ピット床６は、階段２１下の空間となるため、適度な開放感と篭もり感とを両立することができるとともに、階段２１下の空間を多目的に利用できる空間として有効活用することができる。階段２１は、基準床５よりも高いステージ床７と上階の床２２とを繋いでいるので、ステージ床７を階段２１の踊り場として活用することができる。
【００２８】
本発明の実施の形態は上述の形態に限ることなく、本発明の思想の範囲を逸脱しない範囲で適宜変更することができることは云うまでもない。
【産業上の利用可能性】
【００２９】
本発明に係る住宅の屋内構造１は、適度な篭もり感を感じさせることができる居心地のよい空間を設けた住宅の屋内構造１として好適である。
【符号の説明】
【００３０】
１      住宅の屋内構造
２      リビング
４      キッチン
５      基準床
６      ピット床
７      ステージ床
１０    入り口階段
１４    間仕切部
１９    開口部
２０    カウンタ
２１    階段
【図１】
2020045663.tif 000003
【図２】
2020045663.tif 000004
【図３】
2020045663.tif 000005
【図４】
2020045663.tif 000006
【図５】
2020045663.tif 000007
【図６】
2020045663.tif 000008